(57)【特許請求の範囲】
【請求項１】
受信信号を復調するコヒーレント復調器と、
前記コヒーレント復調器において、受信信号を復調するための局発光を生成する局発光用光源と、
切り換え先チャネルの波長情報を記憶する記憶手段と、
受信信号のエラーが検出されたとき、前記局発光用光源で生成される局発光の波長を前記記憶手段に記憶されている前記波長情報で指定される波長に切り換える制御手段とを備え、
前記局発光用光源と前記記憶手段と前記制御手段は、複数のコヒーレント光送受信器に対して共通に設けられ、
前記制御手段は、前記複数のコヒーレント光送受信器の内の任意のコヒーレント光送受信器において受信信号のエラーが検出されたとき、エラーが検出されたコヒーレント光送受信器の切り換え先チャネルの波長情報を前記記憶手段から取得し、前記局発光用光源の出力光の波長を、取得した波長情報で指定される波長に切り換えるコヒーレント光通信装置。
【請求項２】
送信信号を変調するコヒーレント変調器と、
前記コヒーレント変調器において、送信信号を変調するための光信号を生成する送信信号光源とを備え、
前記制御手段は、前記受信信号のエラーが検出されたとき、前記局発光用光源で生成する局発光の波長と前記送信信号光源で生成される光信号の波長を、前記記憶手段に記憶されている切り換え先チャネルの波長情報で指定される波長に切り換える請求項１記載のコヒーレント光通信装置。
【請求項３】
受信信号を復調するコヒーレント復調器と、
前記コヒーレント復調器において、受信信号を復調するための局発光を生成する第1の局発光用光源と、
切り換え先チャネルの局発光を生成する第２の局発光用光源と、
前記第１の局発光用光源と前記第２の局発光用光源の出力の一方を選択して前記コヒーレント復調器に出力する光スイッチと、
受信信号のエラーが検出されないときには、前記光スイッチが前記第１の局発光用光源の出力を選択するように制御し、前記受信信号のエラーが検出されたときには、前記光スイッチが前記第２の局発光用光源の出力を選択するように制御する制御手段とを備え、
前記第１及び第２の局発光用光源と前記光スイッチと前記制御手段と記憶手段は、複数のコヒーレント光送受信器に対して共通に設けられ、
前記制御手段は、前記複数のコヒーレント光送受信器の内の任意のコヒーレント光送受信器において受信信号のエラーが検出されたとき、エラーが検出されたコヒーレント光送受信器の切り換え先チャネルの波長情報を前記記憶手段から取得し、前記第１及び第２の局発光用光源の出力光の波長を、取得した波長情報で指定される波長に切り換える波長分割多重通信に用いられるコヒーレント光通信装置。
【請求項４】
前記制御手段は、現用チャネルと切り換え先チャネルの波長情報を記憶する前記記憶手段を有し、前記制御手段は、前記第１の局発光用光源と前記第２の局発光用光源で生成する局発光の波長を前記記憶手段に記憶されている前記波長情報で指定される波長に設定する請求項３記載のコヒーレント光通信装置。
【請求項５】
送信信号を変調するコヒーレント変調器と、
送信信号を変調するための光信号を生成する第１の送信信号光源と、
切り換え先チャネルの光信号を生成する第２の送信信号光源と、
前記第１の送信信号光源と前記第２の送信信号光源の出力の一方を選択して前記コヒーレント変調器に出力する第２の光スイッチとを備え、
前記制御手段は、前記受信信号のエラーが検出されたとき、前記光スイッチが前記第２の局発光用光源の出力を選択するよう制御すると共に、前記第２の光スイッチが前記第２の送信信号光源の出力を選択するよう制御する請求項３又は４記載のコヒーレント光通信装置。
【請求項６】
受信信号を復調するコヒーレント復調器と、
前記コヒーレント復調器において、受信信号を復調するための局発光を生成する局発光用光源と、
切り換え先チャネルの光信号を生成する共通光源と、
送信信号を変調するコヒーレント変調器と、
前記コヒーレント変調器において、送信信号を変調するための光信号を生成する送信信号光源と、
前記共通光源の出力光を２分岐する光分岐器と、
前記局発光用光源と前記光分岐器の第１の出力の一方を選択して前記コヒーレント復調器に出力する第１の光スイッチと、
前記送信信号光源と前記光分岐器の第２の出力の一方を選択して前記コヒーレント変調器に出力する第２の光スイッチと、
受信信号のエラーが検出されたときに、前記第１の光スイッチが前記共通光源の出力を選択するように制御すると共に、前記第２の光スイッチが前記共通光源の出力を選択するように制御する制御手段とを備える波長分割多重通信に用いられるコヒーレント光通信装置。
【請求項７】
切り換え先チャネルの波長情報を記憶手段に予め記憶しておき、
受信信号のエラーが検出されたとき、コヒーレント変調信号を復調するための局発光を生成する局発光用光源の局発光の波長を前記記憶手段に記憶されている前記波長情報で指定される波長に切り換え、
前記局発光用光源と前記記憶手段を複数のコヒーレント光送受信器に対して共通に設け、
前記複数のコヒーレント光送受信器のそれぞれの切り換え先チャネルの波長情報を前記記憶手段に記憶し、
前記複数のコヒーレント光送受信器の内の任意のコヒーレント光送受信器において受信信号のエラーが検出されたとき、エラーが検出されたコヒーレント光送受信器の切り換え先チャネルの波長情報を前記記憶手段から取得し、前記局発光用光源の出力光の波長を、取得した波長情報で指定される波長に切り換える波長分割多重通信のコヒーレント光通信方法。
【請求項８】
受信信号のエラーが検出されないときには、光スイッチにより受信信号を復調するための局発光を生成する第1の局発光用光源の出力を選択してコヒーレント復調器に出力し、
前記受信信号のエラーが検出されたときには、前記光スイッチにより切り換え先チャネルの局発光を生成する第２の局発光用光源の出力を選択してコヒーレント復調器に出力し、
前記第１及び第２の局発光用光源と記憶手段を複数のコヒーレント光送受信器に対して共通に設け、
前記複数のコヒーレント光送受信器の内の任意のコヒーレント光送受信器において受信信号のエラーが検出されたときには、エラーが検出されたコヒーレント光送受信器の切り換え先チャネルの波長情報を前記記憶手段から取得し、前記第１及び第２の局発光用光源の出力光の波長を、取得した波長情報で指定される波長に切り換える波長分割多重通信のコヒーレント光通信方法。
【請求項９】
現用チャネルと切り換え先チャネルの波長情報を前記記憶手段に記憶し、前記第１の局発光用光源と前記第２の局発光用光源で生成する局発光の波長を、前記記憶手段に記憶されている前記波長情報で指定される現用チャネルの波長と切り換え先チャネルの波長にそれぞれ設定する請求項８記載のコヒーレント光通信方法。
【発明の詳細な説明】
【技術分野】
【０００１】
波長分割多重通信のコヒーレント光通信装置及びコヒーレント光通信方法に関する。
【背景技術】
【０００２】
図１は、波長分割多重信号を用いて通信を行う光通信装置１１と光Ａｄｄ／Ｄｒｏｐ部２１と制御部２２とノード制御部２３の構成を示す図である。
光通信装置１１は、復調器１２と、クロックデータ再生部（ＣＤＲ：Clock Data Recovery）１３と、デフレーマ（DeFramer）１４とを有する。また、光通信装置１１は、電気・光変換部（Ｅ／Ｏ）１５と、光・電気変換部（Ｏ／Ｅ）１６と、フレーマ（Framer）１７と、ドライバ１８と、強度変調器１９と、可変波長光源である送信光源２０とを有する。
【０００３】
図示しないクライアント装置から出力される１０Ｇｂ／ｓのクライアント信号は、光・電気変換部１６で電気信号に変換され、フレーマ１７で特定のフレームフォーマットに変換される。フレーマ１７及び後述するデフレーマ１４において変換するフォーマットに関する情報は制御部２２により設定される。フレーマ１７で変換された信号は、ドライバ１８で増幅され、強度変調器１９で波長分割多重信号に変換されて光Ａｄｄ／Ｄｒｏｐ部２１に出力される。強度変調器１９における送信信号の変調は、送信光源２０から出力される信号波長に基づいて行われる。
【０００４】
光Ａｄｄ／Ｄｒｏｐ部２１から出力される波長分割多重信号（ＷＤＭ信号）は、復調器１２で電気信号に変換され、クロックデータ再生部１３でクロックが抽出された後、デフレーマ１４において、ヘッダ情報の抽出、信号フレームの変換が行われる。その後、電気・光変換部１５において光信号に変換されクライアント装置に出力される。
【０００５】
回線のプロテクションのため、現用回線から予備回線へ主信号を切り換える場合がある。その場合、信号のオーバヘッド部に切り換え情報を付加することで、受信側で切り換えられたことを認識することができる。また、送信側と受信側が切り換えプロトコルを持ちハンドシェイクを行う場合も、信号のオーバヘッド部に波長切り換え情報を付加して送信する必要がある。
【０００６】
現在、ＷＤＭ通信は強度変調方式で行われており、受信器は広帯域な波長を受信可能である。光Ａｄｄ／Ｄｒｏｐ装置（ＯＡＤＭ）や光クロスコネクト装置（ＯＸＣ）を使用している場合は、ＯＡＤＭなどの光スイッチの切り替えを行うだけで信号疎通（通信）が可能である。
【０００７】
従来、コヒーレント光通信システムにおいて、光フィルを透過したチャネル波長成分のチャネルパワーの信号と、ＡＳＥノイズ光成分の信号を検出し、それらの検出信号から光ＳＮを算出する技術が知られている（例えば、特許文献１）。これにより、光ＳＮのばらつきを低減することができる。
【０００８】
コヒーレント光通信において、送信側の波長を変更した場合、コヒーレント光受信器の局発光の波長を送信側の波長、つまり受信されている波長に合わせないと、信号疎通ができない。そのため、送信側の波長切り替えやＯＡＤＭ等のスイッチングに同調して、受信側の局発光の波長も切り替える必要がある。
【０００９】
波長の切り換えを実施するためには、主信号のオーバヘッド部やペイロードを利用して、波長を切り換えたことを知らせる情報を受信側へ送信する必要がある。しかしながら、受信側の局発光の波長を送信側と同じ波長に切り替えない限り、波長を切り換えたことを受信側で知ることができない。つまり、受信側では、伝送経路等に問題があって通信ができないのか、信号自体が入力されていないのか、波長が変更されたために通信ができないのかを認識することができない。
【００１０】
また、局発光に用いる可変波長光源の波長を切り換えて、実際に受信器に入力された光信号の波長と同期させるためには、レベルや波長をターゲットの波長に収束させる必要がある。そのため、フィードバックをかけながら波長を調整する必要があるが、調整に時間が掛かる。さらに、フィードバックには、フィードバック用の回路やモニタ機能などが必須になり、回路規模の増加とコストアップの要因になる。
【先行技術文献】
【特許文献】
【００１１】
【特許文献１】特開２００２−２８０９６２号公報
【発明の概要】
【発明が解決しようとする課題】
【００１２】
コヒーレント光通信装置において、エラー検出時に、受信側で自立的に局発光を所定の波長に切り換えられるようにすることである。
【課題を解決するための手段】
【００１３】
開示の波長分割多重通信に用いられるコヒーレント光通信装置は、受信信号を復調するコヒーレント復調器と、前記コヒーレント復調器において、受信信号を復調するための局発光を生成する局発光用光源と、切り換え先チャネルの波長情報を記憶する記憶手段と、受信信号のエラーが検出されたとき、前記局発光用光源で生成される局発光の波長を前記記憶手段に記憶されている前記波長情報で指定される波長に切り換える制御手段とを備える。
【発明の効果】
【００１４】
開示のコヒーレント光通信装置によれば、受信信号のエラーを検出したときに、受信側が自立的に局発光を所定の波長に切り換えることができる。
【図面の簡単な説明】
【００１５】
【図１】光通信装置の構成を示す図である。
【図２】第１の実施の形態のコヒーレント光通信装置の構成を示す図である。
【図３】第１の実施の形態の光ノードの構成を示す図である。
【図４】第１の実施の形態の光ノードの他の構成を示す図である。
【図５】第２の実施の形態のコヒーレント光通信装置の構成を示す図である。
【図６】第３の実施の形態のコヒーレント光通信装置の構成を示す図である。
【図７】第４の実施の形態のコヒーレント光通信装置の構成を示す図である。
【図８】第４の実施の形態の光ノードの構成を示す図である。
【図９】第４の実施の形態の光ノードの他の構成を示す図である。
【図１０】第５の実施の形態のコヒーレント光通信装置の構成を示す図である。
【図１１】第６の実施の形態のコヒーレント光通信装置の構成を示す図である。
【図１２】第７の実施の形態の光ノードの構成を示す図である。
【図１３】第８の実施の形態の光ノードの構成を示す図である。
【図１４】１つの局発光用光源と送信信号光源を有する場合の波長切り換え処理のフローチャートである。
【図１５】光源制御部のパラメータデータを示す図（１）である。
【図１６】２つの局発光用光源と送信信号光源を有する場合の波長切り換え処理のフローチャートである。
【図１７】光源制御部のパラメータデータを示す図（２）である。
【図１８】ノード制御部の波長切り換え処理のフローチャート（１）である。
【図１９】ノード制御部の波長切り換え処理のフローチャート（２）である。
【図２０】局発光の伝搬経路を示す図である。
【図２１】光部品の損失と経路の合計損失を示す図である。
【図２２】ＷＤＭネットワークの一例を示す図である。
【図２３】障害発生時の波長切り換え方法の説明図（１）である。
【図２４】障害発生時の波長切り換え方法の説明図（２）である。
【図２５】障害発生時の波長切り換え方法の説明図（３）である。
【発明を実施するための形態】
【００１６】
図２は、第1の実施の形態のコヒーレント光通信装置３１の構成を示す図である。コヒーレント光通信装置３１は、複数チャネルのコヒーレント光送受信器３１−１〜３１−Ｎを有する。各コヒーレント光送受信器３１−１〜３１−Ｎは、コヒーレント光受信器３２とコヒーレント光送信器３３を有する。コヒーレント光送受信器の変調方式としては、ＱＰＳＫ、ＰＳＫ等、検波方式としてホモダイン検波、ヘテロダイン検波、イントラダイン検波等を用いることができる。図２において、λｘは受信信号波長、λｙは送信信号波長、λｋは予備チャネルの波長を示す。
【００１７】
コヒーレント光受信器３２は、局発光用光源３４と、光源制御部３５と、コヒーレント復調器３６を有する。
局発光用光源３４は可変波長光源であり、生成する局発光の波長が光源制御部３５により可変制御され、コヒーレント復調器３６に入力されるコヒーレント変調光の波長と同じ波長のＣＷ（continuous wave）を出力する。可変波長光源としては、例えば、ＤＦＢ（Distributed Feedback Laser)などの半導体レーザ等が使用できる。
【００１８】
コヒーレント復調器３６は、光Ａｄｄ／Ｄｒｏｐ部３９から出力されるコヒーレント変調信号（受信信号）を、局発光用光源３４から出力される局発光に基づいて検波、復調する。また、コヒーレント復調器３６は、光Ａｄｄ／Ｄｒｏｐ部３９から入力する受信信号のエラーの有無を判定し、エラーが検出された場合に、エラー情報を光源制御部３５とノード制御部４０に出力する。この他に、コヒーレント復調器３６とノード制御部４０との間では制御情報が送受信される。
【００１９】
光源制御部３５は、局発光用光源３４の出力光の波長を設定、制御する回路である。光源制御部３５は、波長を設定するための設定情報ａを局発光用光源３４に出力する。
光源制御部３５は、コヒーレント復調器３６からエラー情報を受信すると、局発光用光源３４で生成する局発光の波長を予め定めてある波長（例えば、予備チャネル波長λｋ）に切り換える。なお、光源制御部３５は、メモリ等の記憶部を有しており、例えば、通信に使用するチャネルの一部又は全部の波長情報、予備チャネル（切り換え先チャネル）の波長情報、各波長のパワーレベルに関する情報等を記憶部に記憶している。波長情報にパワーレベルに関する情報を含めても良い。
【００２０】
なお、ノード制御部４０はコヒーレント復調器３６からエラー情報を受信しているので、ノード制御部４０が光源制御部３５に局発光の波長の切り換えを指示するようにしても良い。この場合、ノード制御部４０が光源制御部３５に波長の切り換えを指示し、光源制御部３５が指示された内容に基づいて局発光用光源３４の局発光の波長を切り換えれば良い。あるいは、ノード制御部４０が直接局発光用光源３４の局発光の波長を切り換えても良い。この場合も、コヒーレント光送受信器３１−１は、切り換え先チャネルに関する波長情報を他の通信装置から受信せずに自立的に波長を切り換えることができる。
【００２１】
コヒーレント光送信器３３は、コヒーレント変調器３７と送信信号光源３８を有する。コヒーレント変調器３７は、図示しないクライアント装置から出力されるクライアント信号を、送信信号光源３８から出力される光を用いて変調し、変調したコヒーレント変調信号を光Ａｄｄ／Ｄｒｏｐ部３９に出力する。
【００２２】
送信信号光源３８は、送信信号を変調するための光信号を生成する可変波長光源であり、ノード制御部４０により出力光の波長が制御される。
ノード制御部４０は、コヒーレント復調器３６からエラー情報を受信すると、送信信号光源３８で生成する光信号の波長を予め定めてある予備チャネルの波長(例えば、波長λｋ）に切り換える。コヒーレント変調器３７は、クライアント信号を送信信号光源３８から出力される波長λｋの光信号で変調して出力する。
【００２３】
上記のようにコヒーレント光送受信器３１−１は、受信信号のエラーを検出したときに、自立的に局発光及び送信信号の波長を予め定めてある予備チャネルの波長に切り換えることができる。
【００２４】
図３は、第１の実施の形態の光ノードの構成を示す図である。図３には、説明を簡単にするために、光Ａｄｄ／Ｄｒｏｐ部３９と１つのコヒーレント光送受信器３１−１とノード制御部４０を示してある。以下、図２と同じブロックには同じ符号を付けてそれらの説明を省略する。
【００２５】
光Ａｄｄ／Ｄｒｏｐ部３９は、上り側の波長分割多重信号（ＷＤＭ信号）が入力する波長合波器４１と、入力信号を２分岐する１×２分岐器４２−１、４２−５と、１×２光スイッチ４３−１、４３−５と、波長合波器４４とを有する。なお、上り側とは、図３の正面から見て左側から右側への信号の流れを指す。１×２光スイッチ４３−１、４３−５は、２つの入力信号の一方を選択する光スイッチである。波長合波器４４は、Ｎ波長分の光信号を合波してＷＤＭ信号として出力する。
【００２６】
図３には、波長λ１とλ５に対応する２個の１×２分岐器４２−１、４２−５と、２個の１×２光スイッチ４３−１、４３−５のみを示している。実際にはそれぞれＮ個の１×２分岐器４２−１〜４２−Ｎと、Ｎ個の１×２光スイッチ４３−１〜４３−Ｎが設けられている。後述する下り側の回路についても同様である。
【００２７】
光Ａｄｄ／Ｄｒｏｐ部３９は、下り側の波長分割多重信号が入力する波長分波器４５と、入力信号を２分岐する１×２分岐器４６−１、４６−５と、１×２光スイッチ４７−１、４７−５と、波長合波器４８とを有する。下り側とは、図３の正面から見て右側から左側への信号の流れを指す。
【００２８】
光Ａｄｄ／Ｄｒｏｐ部３９は、コヒーレント送受信器３１−１とのインターフェース部を有する。出力側のインターフェース部は、上り側と下り側の同じ波長の２つの光信号を結合する２×１結合器４９−１、４９−５と、Ｎ個の入力の内の１つを選択してコヒーレント光送受信器３１−１に出力する１×Ｎ光スイッチ５１を有する。入力側のインターフェース部は、コヒーレント光送受信器３１−１から入力する光信号をＮ個の出力先の１つに出力する１×Ｎ光スイッチ５２と、光信号を２分岐させる１×２分岐器５０−１、５０−５とを有する。
【００２９】
以下、光Ａｄｄ／Ｄｒｏｐ部３９において、運用中のチャネルの波長λ１を予備チャネルの波長λ５に切り換える場合について説明する。
上り側の波長分割多重信号は、波長分波器４１でＮ波長の光信号に分波され、それぞれの光信号が１×２分岐器４２−１〜４２−Ｎで２分岐される。１×２分岐器４２−１で２分岐された波長λ１の光信号の一方は１×２光スイッチ４３−１に出力され、他方は２×１結合器４９−１に出力される。同様に、１×２分岐器４２−５で２分岐された波長λ５の光信号の一方は光スイッチ４３−５に出力され、他方は２×１結合器４９−５出力される。
【００３０】
２×１結合器４９−１は、上り側の１×２分岐器４２−１で２分岐された波長λ１の光信号と、下り側の１×２分岐器４６−１で２分岐された波長λ１の光信号を結合して１×Ｎ光スイッチ５１に出力する。
【００３１】
２×１結合器４９−５は、上り側の１×２分岐器４２−５で２分岐された波長λ５の光信号と、下り側の１×２分岐器４６−５で２分岐された波長λ５の光信号を結合して１×Ｎ光スイッチ５１に出力する。
【００３２】
１×Ｎ光スイッチ５１は、通常動作時は、２×１結合器４９−１〜４９−Ｎから出力される複数の光信号の内、現用チャネルの波長λ１の光信号を選択してコヒーレント光受信器３２に出力する。
【００３３】
１×Ｎ光スイッチ５１は、光Ａｄｄ／Ｄｒｏｐ部３９で受信信号のエラーが検出されると又はノード制御部４０からエラー情報を受信すると、２×１結合器４９−５から出力される予備チャネルの波長λ５の光信号を選択してコヒーレント復調器３６に出力する。これにより、光Ａｄｄ／Ｄｒｏｐ部３９は、エラーが発生した場合に、現用チャネルから予備チャネル（例えば、波長λ５）に切り換え、予備チャネルの波長の光信号をコヒーレント復調器３６に出力することができる。
【００３４】
コヒーレント光送信器３３から入力する光信号についても同様である。１×Ｎ光スイッチ５２は、通常動作時は、コヒーレント変調器３７から出力される光信号の出力先として波長λ１に対応する１×２分岐器５０−１選択する。エラー情報を受信すると、１×Ｎ光スイッチ５４は、コヒーレント変調器３７の出力信号の出力先として波長λ５に対応する１×２分岐器５０−５を選択する。これにより、光Ａｄｄ／Ｄｒｏｐ部３９は、運用中のチャネルにエラーが検出された場合、コヒーレント変調器３７の出力信号の出力先を予備チャネル（例えば、波長λ５）に切り換えることができる。
【００３５】
図３の光Ａｄｄ／Ｄｒｏｐ部３９は、コヒーレント光送受信器３１−１とのインターフェースとしてＮ個の入力から１つを選択する１×Ｎ光スイッチ５１、５２を用いているので、Ｎチャネルの内の任意の空きチャネルを予備チャネルとして使用することができる。
【００３６】
図４は、第１の実施の形態の光ノードの他の構成を示す図である。以下、図２及び図３と同じブロックには同じ符号を付けてそれらの説明を省略する。
図４の光Ａｄｄ／Ｄｒｏｐ部５５が、図３の光Ａｄｄ／Ｄｒｏｐ部３９と異なる点は、コヒーレント光送受信器３１−１のインターフェース部分に１×２光スイッチ５６、５７を用いている点である。
【００３７】
運用中のチャネルと予備チャネルが予め決められている場合には、２入力（又は２出力）の１×２光スイッチ５６、５７を用いることで光Ａｄｄ／Ｄｒｏｐ部５５の回路構成を簡素にできる。
【００３８】
上述した第１の実施の形態によれば、光回線の障害等により光信号が受信できない場合に、受信側及び送信側のコヒーレント光送受信器が自立的に局発光と送信信号の波長を、予め定めた予備チャネル（切り換え先チャネル）の波長に切り換えることができる。これにより、送信側及び受信側のコヒーレント光送受信器は予備チャネルの波長で互いに通信することができ、短時間で障害を回復することができる。また、切り換え先のチャネルの波長情報等を相手のコヒーレント光送受信器に送信する必要が無いので、波長情報を得るための処理が不要となり処理を簡素化できる。
【００３９】
次に、図５は、第２の実施の形態のコヒーレント光通信装置６１の構成を示す図である。図５において、図２と同じブロックには同じ符号を付けてそれらの説明を省略する。
図５において、コヒーレント光通信装置６１は、複数チャネルのコヒーレント光送受信器６１−１〜６１−Ｎを有する。各コヒーレント光送受信器６１−１〜６１−Ｎはそれぞれコヒーレント受信器６２とコヒーレント送信器６３を有する。
【００４０】
図５のコヒーレント光通信装置６１は、光源制御部６４が、局発光用光源３４と送信信号光源３８の両方の波長の設定を行うことを１つの特徴としている。
コヒーレント復調器３６においてエラーが検出されると、エラー情報が光源制御部６４とノード制御部４０に通知される。光源制御部６４は、エラー情報を受信すると、局発光用光源３４の局発光の波長を予め定めてある波長（例えば、予備チャネル波長λｋ）に切り換える。また、ノード制御部４０は、送信信号光源３８の出力光の波長を予め定めてある波長（例えば、予備チャネルの波長λｋ）に切り換える。
【００４１】
これにより、例えば、障害が発生して送信側で光信号の波長を予め定めてある波長に切り換えた場合でも、受信側で局発光の波長を同じ波長に切り換えることで通信を再開することができる。また、送信信号の波長も送信側と同じ波長に切り換えることができる。
【００４２】
この第２の実施の形態によれば、光回線の障害等が発生した場合に、受信側及び送信側のコヒーレント光送受信器６１−１が自立的に局発光と送信信号の波長を、予め定めたチャネルの波長に切り換えることができる。さらに、局発光用光源３４と送信信号光源３８の波長の切り換えを１つの光源制御部６４が行っているので、コヒーレント光送受信器６１−１の回路構成を簡素にできる。
【００４３】
次に、図６は、第３の実施の形態のコヒーレント光通信装置７１の構成を示す図である。図６おいて、図２と同じブロックには同じ符号を付けてそれらの説明を省略する。
図６において、コヒーレント光通信装置７１は、ｎチャネル分のコヒーレント光送受信器７１−１〜７１−Ｎを有する。各コヒーレント光送受信器７１−１〜７１−Ｎは、それぞれコヒーレント光受信器７２とコヒーレント光送信器７３を有する。
【００４４】
コヒーレント光受信器７２は、第１局発光用光源７４と、第２局発光用光源７５と、光源制御部７６と、２×１光スイッチ７７と、コヒーレント復調器３６を有する。
第１局発光用光源７４は受信信号を復調するための局発光を生成する可変波長光源である。第２局発光用光源７５は、切り換え先チャネルの局発光を生成する可変波長光源である。第１局発光用光源７４と第２局発光用光源７５は、それぞれ光源制御部７６により局発光の波長が制御される。
【００４５】
コヒーレント復調器３６は、光Ａｄｏ／Ｄｒｏｐ部３９から出力されるコヒーレント変調信号を、２×１光スイッチ７７で選択された局発光を用いて復調してクライアント装置に出力する。また、コヒーレント復調器３６、受信信号のエラーを検出したとき、エラー情報を光源制御部７６とノード制御部４０に出力する。
【００４６】
光源制御部７６は、第１局発光用光源７４と第２局発光用光源７５の局発光の波長の設定、２×１光スイッチ７７の切り換え制御等を行う。
光源制御部７６は、メモリ等の記憶部を有し、第１局発光用光源７４と第２局発用光源７５の局発光の波長を設定するための波長情報、局発光のパワーレベルを設定するための情報等を記憶部に記憶している。そして、記憶部に記憶してある情報を用いて第１局発光用光源７４と第２局発光用光源７５の局発光の波長及び出力パワーレベルを設定するための設定信号ｂ１、ｂ２をそれぞれ出力する。
【００４７】
光源制御部７６は、通常動作時は（エラーが検出されていないとき）、光スイッチ７７に第１局発光用光源７４の出力光を選択させる選択信号を出力する。コヒーレント復調器３６からエラー情報を受信したときには、光源制御部７６は２×１光スイッチ７７に第２局発光用光源７５の出力光を選択させる選択信号を出力する。
【００４８】
２×１光スイッチ７７は、光源制御部７６から出力される選択信号に基づいて、第１局発光用光源７４の出力光と第２局発用光源７５の出力光の一方を選択してコヒーレント復調器３６に出力する。
【００４９】
ノード制御部４０は、送信信号光源３８の出力光の波長の制御を行っている。ノード制御部４０は、コヒーレント復調器７８からエラー情報を受信すると、送信信号光源３８の出力光の波長を予め定めらた波長（例えば、予備チャネル波長λｋ）に切り換える。ノード制御部４０は、このとき送信信号光源３８の信号光の波長を設定するための設定信号ｂ３を出力する。これにより、送信信号光源３８の出力光の波長はλｙから予備チャネル波長λｋに切り替わる。
【００５０】
この第３の実施の形態によれば、光回線の障害等が発生した場合に、受信側と送信側のコヒーレント光送受信器８１−１〜８１−Ｎが自立的に局発光と送信信号の波長を、予め定めたチャネルの波長に切り換えることができる。これにより送信側と受信側の通信を再開できる。さらに、コヒーレント光受信器７２が第１局発光用光源７４と第２局発光用光源７５の２つの光源を有しているので、障害発生時に波長を短時間で切り換えることができる。
【００５１】
次に、図７は、第４の実施の形態のコヒーレント光通信装置８１の構成を示す図である。図７において、図６と同じブロックには同じ符号を付けてそれらの説明を省略する。
コヒーレント光通信装置８１は、Ｎチャネル分のコヒーレント光送受信器８１−１〜８１−Ｎを備える。各コヒーレント光送受信器８１−１〜８１−Ｎは、それぞれコヒーレント光受信器８２とコヒーレント光送信器８３を有する。
【００５２】
コヒーレント光受信器８２は、第１局発光用光源７４と、第２局発光用光源７５と、光源制御部８４と、２×１光スイッチ７７と、コヒーレント復調器３６とを有する。
第１局発光用光源７４は、現用チャネルの局発光を生成する可変波長光源である。第２局発光用光源７５は、切り換え先チャネルの局発光を生成する可変波長光源である。これらの第１局発光用光源７４と第２局発光用光源７５は、光源制御部８４により波長が制御される。
【００５３】
コヒーレント光送信器８３は、コヒーレント変調器３７と、第１送信信号光源８５と、第２送信信号光源８６と、２×１光スイッチ８７とを有する。
第１送信信号光源８５は、送信信号を変調するための現用チャネルの光信号を生成する可変波長光源である。第２送信信号光源８６は、切り換え先チャネルの光信号を生成する可変波長光源である。これら第１送信信号光源８５と第２送信信号光源８６は、光源制御部８４により波長が制御される。
【００５４】
２×１光スイッチ８７は、光源制御部８４からの指示に従って、第1送信信号光源８５と第２送信信号光源８６の出力光の一方を選択してコヒーレント変調器３７に出力する。
光源制御部８４は、第１局発光用光源８４と第２局発光用光源８５並びに第１送信信号光源８５と第２送信信号光源８６の出力光の波長の設定、２×１光スイッチ７７及び８７の切り換え制御等を行う。
【００５５】
光源制御部８４はメモリ等の記憶部を有し、第１局発光用光源７４と第２局発用光源７５の局発光の波長とそれぞれの波長のパワーレベルを示す情報等を記憶部に記憶している。同様に、光源制御部８４は、第１送信信号光源８５と第２送信信号光源８６で生成する光信号の波長を設定するための波長設定情報とそれぞれの波長のパワーレベルを示す情報等を記憶部に記憶している。そして、記憶部に記憶してあるそれらの情報を用いて第１局発光用光源７４と第２局発光用光源７５並びに第1送信信号光源８５と第２送信信号光源８６の出力光の波長と出力パワーレベルを制御する。
【００５６】
光源制御部８４は、通常動作時は（受信信号のエラーが検出されていないとき）、２×１光スイッチ７７に第１局発光用光源７４の出力光を選択させる選択信号を出力する。また、光源制御部８６は、２×１光スイッチ８７に第1送信信号光源８５を選択させる選択信号を出力する。
【００５７】
エラー情報を受信したときには、光源制御部８４は２×１光スイッチ７７に第２局発光用光源７５の出力光を選択させる選択信号を出力する。また、光源制御部８４は、２×１光スイッチ８７に第２送信信号光源８６を選択させる選択信号を出力する。
【００５８】
すなわち、受信信号のエラーが検出されたときには、コヒーレント光受信器８２の２×１光スイッチ７７は予備チャネルの波長の局発光を選択してコヒーレント復調器３６に出力する。これにより、コヒーレント復調器３６は、受信信号を予備チャネルの波長の局発光で復調することができる。同様に、コヒーレント光送信器８３の２×１光スイッチ８７は、予備チャネルの波長の光を選択してコヒーレント変調器３７に出力する。これにより、コヒーレント変調器３７は、クライアント信号を予備チャネルの波長の光信号で変調して光Ａｄｄ／Ｄｒｏｐ部３９に出力することができる。
【００５９】
なお、上記の例では、受信信号のエラーが検出された場合に、光源制御部８４が２×１光スイッチ７７及び８７の切り換えを行うものとして説明したが、ノード制御部４０が光源制御部８４に指示して光スイッチ７７及び８７の切り換えを行うようにしても良い。あるいは、ノード制御部４０が直接各光源の波長を切り換えても良い。
【００６０】
次に、図８は、第４の実施の形態の光ノードの構成を示す図である。図８には、説明を簡単にするために、光Ａｄｄ／Ｄｒｏｐ部３９と１つのコヒーレント光送受信器３１−１とノード制御部４０を示してある。図８において、図３及び図７と同じブロックには同じ符号を付けてそれらの説明を省略する。
【００６１】
光Ａｄｄ／Ｄｒｏｐ部３９の１×Ｎ光スイッチ５１は、通常動作時は、２×１結合器４９から出力される現用チャネルの波長λ１の光信号を選択してコヒーレント光受信器８２に出力する。エラー情報を受信すると、1×Ｎ光スイッチ５１は、２×１結合器４９−５から出力される予備チャネルの波長λ５の光信号を選択するように切り換えられ、波長λ５の光信号をコヒーレント復調器３６に出力する。これにより、光Ａｄｄ／Ｄｒｏｐ部３９は、受信信号のエラーが検出された場合に、現用チャネルから予備チャネル（例えば、波長λ５）に切り換え、予備チャネルの光信号をコヒーレント復調器３６に出力することができる。
【００６２】
図８の光Ａｄｄ／Ｄｒｏｐ部３９は、コヒーレント光送受信器３１−１とのインターフェースとしてＮ個の入力から１つを選択する１×Ｎ光スイッチ５１、５４を有しているので、Ｎチャネルの内の任意の空きチャネルを予備チャネルとして使用することができる。
【００６３】
図９は、第４の実施の形態の光ノードの他の構成を示す図である。この光ノードは、図８の出力チャネルの切り換えを行うインターフェース部をコヒーレント光送受信器側に設けたものである。以下の説明では、図７及び図８と同じブロックには同じ符号を付けてそれらの説明を省略する。
【００６４】
図９の光Ａｄｄ／Ｄｒｏｐ部９０は、図８の光Ａｄｄ／Ｄｒｏｐ部３９のインターフェース部の回路を除いたものと同じである。
コヒーレント光送受信器９１−１は、光Ａｄｄ／Ｄｒｏｐ部９０とのインターフェース部となる２×１光スイッチ９２と、送受信制御部９３と、1×２分岐器９３と、コヒーレント光受信器８２と、コヒーレント光送信器８３とを有する。
【００６５】
２×１光スイッチ９２は、波長λ１の光信号と予備チャネルの波長λ５の光信号の一方をコヒーレント復調器３６に出力する。２×１光スイッチ９２のスイッチの切り換えは送受信制御部９３により行われる。２×１光スイッチ９２は、運用状態のときは、波長λ１の光信号を選択してコヒーレント復調器３６に出力している。
【００６６】
１×２分岐器９３は、コヒーレント復調器３７から出力される光信号を２分岐して波長λ１の光信号が伝送されるチャネルと、波長λ５の予備チャネルの光信号が伝送されるチャネルに出力する。
【００６７】
コヒーレント復調器３６は、受信信号のエラーを検出すると、エラー情報を光源制御部８４、ノード制御部４０及び送受信制御部９３に出力する。
送受信制御部９３は、コヒーレント復調器３６からエラー情報を受信すると、波長λ５の光信号を選択するように２×１光スイッチ９２を制御する。これにより、２×１光スイッチ９２からは、予備チャネルの波長λ５の光信号がコヒーレント復調器３６に出力される。
【００６８】
このとき、前述したように２×1光スイッチ７７は、第２局発光用光源７５の出力光（例えば、波長λ５の局発光）を選択しているので、コヒーレント復調器３６は、波長λ５の局発光を用いて受信信号を復調することができる。
【００６９】
同様に、コヒーレント変調器３７において、第２送信信号光源８６の波長λｋ（例えば、波長λ５）の信号光を用いてクライアント信号の変調が行われる。コヒーレント変調器３７の出力信号は波長λ５のチャネルに送出される。
【００７０】
上述した第４の実施の形態によれば、光回線等に障害が発生した場合でも、受信側と送信側のコヒーレント光送受信器が、それぞれ自立的に局発光と送信信号の波長を、予め定めたチャネルの波長に切り換えることができる。これにより、送信側と受信側の通信を再開できる。また、例えば、コヒーレント光送受信器９１−１に２×１光スイッチ９２、１×２分岐器９３等を設けることで、光Ａｄｄ／Ｄｒｏｐ部９０とのインターフェース回路を実現できる。
【００７１】
さらに、この第４の実施の形態は、コヒーレント光受信器８２が、第１局発光用光源７４と第２局発光用光源７５を備え、コヒーレント光送信器８３が第１送信信号光源８５と第２送信信号光源８６を備えている。従って、受信信号のエラーを検出したときに、局発光と送信信号の波長を予め定めたチャネルの波長に短時間で切り換えることができる。
【００７２】
図１０は、第５の実施の形態のコヒーレント光通信装置１０１の構成を示す図である。以下の説明では、図２と同じブロックには同じ符号を付けてそれらの説明を省略する。
第５の実施の形態は、予備の局発光を生成する光源と、予備の送信信号用の光源を共通化したものである。
【００７３】
図１０において、コヒーレント光受信器１０１−１は、コヒーレント光受信器１０２とコヒーレント光送信器１０３を有する。コヒーレント光受信器１０２は、局発光用光源３４と、共通光源１０４と、光源制御部１０５と、２×１分岐器１０６と、２×１光スイッチ１０７と、コヒーレント復調器３６を有する。
【００７４】
共通光源１０４は、受信信号のエラーが検出されたとき、切り換え先チャネルの局発送と、送信信号の切り換え先チャネルの光信号を生成する可変波長光源である。共通光源１０４の出力光は、２×１分岐器１０６で２分岐され、２×１光スイッチ１０７と、２×１光スイッチ１０８に出力される。
【００７５】
２×１光スイッチ１０７は、局発光用光源３４から出力される局発光と、共通光源１０４から出力される波長λｋの局発光の一方を選択してコヒーレント復調器３６に出力する。コヒーレント復調器３６は、２×１光スイッチ１０７において選択された局発光に基づいて光Ａｄｄ／Ｄｒｏｐ部３９から受信するコヒーレント変調光を復調する。
【００７６】
コヒーレント送信器１０３は、送信信号光源３８と、２×１光スイッチ１０８と、コヒーレント変調器３７とを有する。
２×１光スイッチ１０８は、送信信号光源３８から出力される波長λｙの光信号と、共通光源１０４から出力される波長λｋの光信号の一方を選択してコヒーレント変調器３７に出力する。コヒーレント変調器３７は、２×１光スイッチ１０８で選択された光信号に基づいてクライアント信号を変調して光Ａｄｄ／Ｄｒｏｐ部３９に出力する。
【００７７】
光源制御部１０５は、障害が発生していないときには、局発光用光源３４から出力される波長λｘの局発光を選択して出力するように２×１光スイッチ１０７を制御する。
エラー情報を受信すると、光源制御部１０５は、共通光源１０４から出力される波長λｋの局発光を選択して出力するように２×１光スイッチ１０７を制御する。これにより、障害発生時には、コヒーレント復調器３６は、予備チャネルの波長λｋの局発光を用いて復調を行うことができる。
【００７８】
また、光線制御部１０５は、エラー情報を受信したとき、必要に応じて共通光源１０４から出力される波長λｋの光信号を選択して出力するように２×１光スイッチ１０８を制御する。これにより、障害発生時には、コヒーレント変調器３７は、予備チャネルの波長λｋの光信号を用いてクライアント信号を変調することができる。
【００７９】
上述した第５の実施の形態によれば、光回線等に障害が発生して受信信号のエラーが検出された場合に、受信側及び送信側のコヒーレント光送受信器９１−１が自立的に局発光と送信信号の波長を、予め定めた予備チャネルの波長に切り換えることができる。これにより、送信側と受信側の通信を再開できる。また、必要に応じてクライアント信号を予備チャネルの波長の光信号に変調して送信することができる。
また、第５の実施の形態は、コヒーレント光受信器１０２とコヒーレント光送信器１０３で共通の光源を用いているので回路を簡素化できる。
【００８０】
図１１は、第６の実施の形態のコヒーレント光通信装置１１１の構成を示す図である。第６の実施の形態は、複数のコヒーレント光送受信器１１１−１〜１１１−Ｎに対して１つの共通光源１１４を設けたものである。以下の説明では、図２及び図１０のブロックと同じブロックには同じ符号を付けてそれらの説明を省略する。
【００８１】
コヒーレント光通信装置１１１は、複数チャネルのコヒーレント光送受信器１１１−１〜１１１−Ｎを有する。コヒーレント光送受信器１１１−１は、コヒーレント光受信器１１２とコヒーレント光送信器１１３を有する。図１１には、コヒーレント光送受信器１１１−１の構成のみを示してあるが、他のコヒーレント光送受信器１１１−２〜１１１−Ｎも同様の構成を有する。
【００８２】
複数のコヒーレント光送受信器１１１−１〜１１１−Ｎに対して１組の共通光源１１４と、共通光源１１４の出力光をＮ分岐する１×Ｎ分岐器１１５と、共通光源制御部１１６が設けられている。
【００８３】
共通光源制御部１１６は、各コヒーレント光通信装置１１１−１〜１１１−Ｎの光源制御部１０５又はノード制御部４０から出力される制御情報に基づいて共通光源１１４で生成する光信号の波長を設定する。共通光源制御部１１６は、例えば、エラーが発生した場合に、共通光源１１４の出力光の波長を予備チャネルの波長λｋに設定する。このλｋの波長の光信号は、１×Ｎ分岐器１１５でＮ分岐され各コヒーレント光送受信器１１１−１〜１１１−Ｎの２×１分岐器１０６に出力される。
【００８４】
光源制御部１０５は、コヒーレント復調器３６からエラー情報を受信すると、２×１分岐器１０６の出力、すなわち、共通光源１１４の出力を選択するように２×１光スイッチ１０７を制御する。その結果、２×１光スイッチ１０７からは、共通光源１１４の出力光である波長λｋの光信号がコヒーレント復調器３６に出力される。そして、コヒーレント復調器３６において、受信信号が予備チャネルの波長λｋの局発光を用いて復調される。
【００８５】
コヒーレント光送信器１１３においても、同様に共通光源１１４の出力光を用いてクライアント信号を変調することができる。これにより、障害が発生した場合などに必要応じて送信信号の波長を予備チャネルの波長に切り換えることができる。
【００８６】
上述した第６の実施の形態によれば、光回線等に障害が発生した場合でも、受信側及び送信側のコヒーレント光送受信器１１１−１〜１１１−Ｎが自立的に局発光と送信信号の波長を、予め定めたチャネルの波長に切り換えることができる。これにより、送信側と受信側の通信を再開できる。さらに、複数のコヒーレント光送受信器１１１−１〜１１１−Ｎに対して共通の光源１１４を用いることで、コヒーレント光通信装置全体の回路を簡素にできる。
【００８７】
図１２は、第７の実施の形態の光ノードの構成を示す図である。この第７の実施の形態は、コヒーレント受信器１２２とコヒーレント変調器３７の光源を共通化し、さらに、共通光源１０４の出力光の波長の制御をノード制御部４０が行うものである。
【００８８】
以下の説明では、図１０のブロックと同じブロックには同じ符号を付けてそれらの説明を省略する。光ノードは複数のコヒーレント光送受信１２１を有するが、説明を簡単するために、図１２には１つのコヒーレント光送受信器１２１を示してある。
【００８９】
図１２に示す光ノードは、光Ａｄｄ／Ｄｒｏｐ部３９と、コヒーレント光送受信器１２１と、ノード制御部４０を有する。
コヒーレント光送受信器１２１の構成は、基本的には図１０のコヒーレント光送受信器１０１−１と同じである。異なる点は、コヒーレント復調器３６の代わりに、コヒーレント受信器１２２とエラーモニタ１２３を有する点である。
【００９０】
コヒーレント受信器１２２は、光Ａｄｄ／Ｄｒｏｐ部３９から受信するコヒーレント変調信号を局発光を用いて復調すると共に、エラー情報をエラーモニタ１２３に出力する。エラーモニタ１２３は、コヒーレント受信器１２２から出力される情報を監視し、エラー情報を受信すると、ノード制御部４０にエラーの発生を通知する。
【００９１】
ノード制御部４０は、局発光用光源３４の局発光の波長を設定する機能、共通光源１０４の出力光の波長を設定する機能、送信信号光源３８の出力光の波長を設定する機能を有する。さらに、ノード制御部４０は、受信器側の２×１光スイッチ７７を切り換える機能と、送信器側の２×１光スイッチ１０８を切り換える機能を有する。
【００９２】
ノード制御部４０は、エラーモニタ１２３からエラーが通知されると、共通光源１０４に予備チャネルの波長λｋを設定する信号を出力する。さらに、２×１光スイッチ７７と１０８に共通光源１０４の出力光の選択を指示する信号を出力する。
【００９３】
２×１光スイッチ７７は、共通光源１０４の出力光を選択してコヒーレント受信器１２２に出力する。これにより、コヒーレント受信器１２２は、予備チャネルの波長λｋの局発光を用いてコヒーレント変調信号を復調することができる。
【００９４】
同様に、送信器側の２×１光スイッチ１０８は、２×１分岐器１０６の出力を選択してコヒーレント変調器３７に出力される。これにより、コヒーレント変調器３７は、クライアント信号を予備チャネルの波長λｋの光で変調することができる。
【００９５】
上述した第７の実施の形態によれば、光回線の障害等が発生した場合に、受信側と送信側のコヒーレント光送受信器１２１が、それぞれ自立的に局発光と送信信号の波長を、予め定めたチャネルの波長に切り換えることができる。これにより送信側と受信側の通信を再開できる。さらに、コヒーレント光送信器と光受信器で共通光源１０４を使用しているので、障害発生時に波長を短時間で切り換えることができる。また、ノード制御部４０が、共通光源１０４の波長を切り換える機能を有しているので、コヒーレント光送受信器１２１に光源制御部を設ける必要が無く、コヒーレント光送受信器１２１の回路を簡素にできる。
【００９６】
図１３は、第８の実施の形態の光ノードの構成を示す図である。この第８の実施の形態は、光受信器と光送信器がそれぞれ予備チャネル光源を有し、予備チャネル光源の波長の設定をノード制御部４０が行うものである。
【００９７】
以下の説明では、図８（第４の実施の形態）のブロックと同じブロックには同じ符号を付けてそれらの説明を省略する。なお、光ノードは複数のコヒーレント光送受信器１３１を有するが、図１３には１つのチャネルのコヒーレント光送受信器１３１だけを示してある。
【００９８】
図１３に示す光ノードは、光Ａｄｄ／Ｄｒｏｐ部３９と、コヒーレント光送受信器１３１と、ノード制御部４０を有する。光Ａｄｄ／Ｄｒｏｐ部３９は、図８の光Ａｄｄ／Ｄｒｏｐ部３９と同じである。
【００９９】
受信器側の予備チャネル光源１３２は、切り換え先チャネルの波長の局発光を生成する
可変波長光源であり、図８の第２局発光用光源７５に対応する。送信器側の予備チャネル光源１３３は、送信信号を変調するときの切り換え先チャネルの光信号を生成する可変波長光源であり、図８の第２送信信号光源８６に対応する。
【０１００】
コヒーレント復調器３６は、光Ａｄｄ／Ｄｒｏｐ部３９から受信するコヒーレント変調信号を局発光を用いて復調すると共に、受信信号のエラーの有無を判定する。コヒーレント復調器３６は、エラーを検出したとき、エラー情報をノード制御部４０に出力する。
【０１０１】
ノード制御部４０は、第１局発光用光源３４と予備チャネル光源１３２の出力光の波長を設定する機能、第１送信信号光源８５と予備チャネル光源１３３の出力光の波長を設定する機能を有する。さらに、ノード制御部４０は、受信器側の２×１光スイッチ７７が選択する局発光と、送信器側の２×１光スイッチ８７が選択する送信信号用の光信号を切り換える機能を有する。
【０１０２】
ノード制御部４０は、第1局発光用光源７４に対して現用チャネルの局発光の波長を設定するための信号を出力すると共に、予備チャネル光源１３２に対して予備チャネルの局発光の波長を設定するための信号を出力する。また、ノード制御部４０は、第1送信信号光源８５に対して現用チャネルの波長を設定するための信号を出力すると共に、予備チャネル光源１３３に対して予備チャネルの波長を設定するための信号を出力する。
【０１０３】
ノード制御部４０はメモリ等の記憶部を有し、第1局発光用光源７４、予備チャネル光源１３２、第1送信信号光源８５及び予備チャネル光源１３３の出力光の波長とパワーレベルを設定するための情報を予め記憶部に記憶している。例えば、第1局発光用光源７４に設定される局発光の波長はλｘであり、予備チャネル光源１３２に設定される波長はλｋである。また、第1送信信号光源８５に設定される波長はλｙであり、予備チャネル光源１１３に設定される波長はλｊである。
【０１０４】
ノード制御部４０は、コヒーレント復調器３６からエラー情報を受信すると、受信器側の２×１光スイッチ７７を予備チャネル光源１３２の出力光を選択するように切り換える。同時に、送信器側の２×１光スイッチ８７を予備チャネル光源１３３の出力光を選択するように切り換える。
【０１０５】
ノード制御部４０が２×１光スイッチ７７及び８７を上記のように切り換えることで、コヒーレント復調器３６は、予備チャネルの波長λｋの局発光を用いてコヒーレント変調信号を復調することができる。また、コヒーレント変調器３７は、予備チャネルの波長λｊの光信号を用いてクライアント信号を変調することができる。
【０１０６】
上述した第８の実施の形態によれば、光回線の障害等が発生した場合に、受信側と送信側のコヒーレント光送受信器６１−１が自立的に局発光と送信信号の波長を、予め定めた切り換え先チャネルの波長に切り換えることができる。これにより送信側と受信側の通信を再開できる。さらに、予備チャネル光源１３２及び１３３を有しているので、障害発生時に波長を短時間で切り換えることができる。また、ノード制御部４０が、局発光と送信信号の波長を切り換える機能を有するので、コヒーレント光送受信器１３１に光源制御部を設ける必要が無く、コヒーレント光送受信器１３１の回路を簡素にできる。
【０１０７】
次に、図１４は、１つの局発光用光源と送信信号光源を有するコヒーレント光送受信器における波長切り換え処理のフローチャートである。以下の処理は、例えば、コヒーレント光送受信器のＣＰＵにより実行、又はハードウェアにより実現される。
【０１０８】
入力信号のエラーを検出すると（Ｓ１１）、例えば、光Ａｄｄ／Ｄｒｏｐ部３９の制御部（ＣＰＵ）は、光スイッチを予備チャネル側に切り換える（Ｓ１２）。ステップＳ１１の処理では、例えば、図２のコヒーレント復調器３６が、受信信号のエラーの有無を判定し、エラーの検出結果を光Ａｄｄ／Ｄｒｏｐ部３９と光源制御部３５とノード制御部４０に通知する。光Ａｄｄ／Ｄｒｏｐ部３９は、エラーが検出されたことが通知されると、光スイッチを予備チャネル側に切り換え、予備チャネルの光信号をコヒーレント光送受信器３１−１に出力する。
【０１０９】
コヒーレント光送受信器の光源制御部３５又はノード制御部４０は、受信信号のエラーが通知されると、局発光用光源３４へ予め決められた予備チャネルの波長及びパワーレベルを指定するパラメータを設定して局発光の波長を切り換える（Ｓ１３）。局発光用光源３４に予備チャネルの波長及びパワーレベルを設定するためのパラメータデータは、例えば、光源制御部３５又はノード制御部４０のメモリ等の記憶部に予め記憶されている。
【０１１０】
次に、光源制御部３５又はノード制御部４０が、送信信号光源３８に予め決められた予備チャネルの波長及びパワーレベルを指定するためのパラメータを設定し、送信信号用の光信号の波長を切り換える（Ｓ１４）。送信信号光源３８に予備チャネルの波長及びパワーレベルを設定するためのパラメータデータは、例えば、光源制御部３５又はノード制御部４０のメモリ等に予め記憶されている。
【０１１１】
次に「Ｗａｉｔ＿１」の処理を実行し一定時間待ち（Ｓ１５）、エラーが解除されたか否かを判別する（Ｓ１６）。エラーが解除されていないときには（Ｓ１６、ＮＯ）、ステップＳ１７に進み、光信号が断の状態（ＬＯＬ）か否かを判別する。
【０１１２】
光信号が断の状態ではないとき（Ｓ１７、ＮＯ）、つまり他の通信装置から光信号を受信しているときには、ステップＳ１８に進み、一定時間Ｔ秒が経過したか否かを判別する。
【０１１３】
Ｔ秒が経過していなければ（Ｓ１８、ＮＯ）、ステップＳ１５以降の処理を繰り返す。
他方、Ｔ秒経過した場合には（Ｓ１８、ＹＥＳ）、ステップＳ１９に進み、アラームを設定する。
【０１１４】
ステップＳ１７において光信号が断の状態と判別されたときには（Ｓ１７、ＹＥＳ）、ステップＳ２０に進み、一定時間Ｙ秒が経過したか否かを判別する。
光信号が断の状態で、かつＹ秒経過した場合には（Ｓ２０、ＹＥＳ）、ステップＳ１９に進み、アラームを設定する。
【０１１５】
上述した処理によれば、受信信号のエラーを検出したときに、受信側と送信側のコヒーレント光送受信器が、それぞれ自立的に局発光と送信信号の波長を予め定めらている予備チャネルの波長に切り換えることができる。これにより、通信回線等に障害が発生した場合でも、送信側と受信側との間の通信を短時間で再開することができる。
【０１１６】
図１５（Ａ）、（Ｂ）は、光源制御部のパラメータデータの一例を示す図（１）である。図１５（Ａ）は、温度と電流値により可変波長光源の波長を制御する場合の温度と電流値をパラメータデータとして示している。図１５（Ｂ）は、可変波長光源に供給する電流を制御して波長を可変制御する場合の電流値をパラメータデータとして示している。
【０１１７】
例えば、光源制御部３５の記憶部には、上記の図１５（Ａ）又は（Ｂ）に示すパラメータデータ、すなわち、全チャネル（予備チャネルを含む）の波長と電流値（又は温度と電流値）が対応付けて記憶されている。
【０１１８】
光源制御部３５は、チャネルｃｈ１の波長の局発光を生成したい場合には、記憶部に記憶されているチャネルｃｈ１に対応する電流値を取得する。そして、取得した電流値の電流を局発光用光源３４に供給する。これにより、局発光用光源３４からはチャネルｃｈ１の波長の局発光が出力される。
【０１１９】
また、光源制御部３５は、エラー情報を受信したときには、記憶部に記憶されている予備チャネルの電流値を取得し、その電流を局発光用光源３４に供給する。これにより、局発光用光源３４からは予備チャネルの波長の局発光が出力される。
【０１２０】
なお、上記の例では、光源制御部３５の記憶部に全チャネルの波長と電流値（又は温度と電流値）を記憶しているが、必ずしも全てのチャネルの波長情報（波長を設定するための情報）を記憶する必要はない。切り換え先チャネルを含む一部のチャネルの波長情報を記憶部に記憶するようにしても良い。
【０１２１】
図１６は、２つの局発光用光源と送信信号光源を有するコヒーレント光送受信器における波長の切り換え処理のフローチャートである。以下の処理は、例えば、コヒーレント光送受信器のＣＰＵにより実行、又はハードウェアにより実現される。
【０１２２】
入力信号のエラーが検出されると（Ｓ３１）、例えば、光Ａｄｄ／Ｄｒｏｐ部３９の制御部（ＣＰＵ）は、光スイッチを予備チャネル側に切り換える（Ｓ３２）。ステップＳ３２の処理では、例えば、図７のコヒーレント復調器３６が、受信信号のエラーの有無を判定し、エラーの検出結果を光Ａｄｄ／Ｄｒｏｐ部３９と光源制御部３５に通知する。光Ａｄｄ／Ｄｒｏｐ部３９は、エラーが検出されたことが通知されると、光スイッチを予備チャネル側に切り換え、予備チャネルの光信号をコヒーレント光送受信器３１−１に出力する。
【０１２３】
コヒーレント光送受信器の光源制御部（例えば、図７の光源制御部８４）又はノード制御部（例えば、図７のノード制御部４０）は、２つの局発光用光源と２つの送信信号光源の出力光の波長を設定する（Ｓ３３）。
【０１２４】
エラーが検出された場合に、光源制御部又はノード制御部は、２つの局発光用光源の内の予備チャネルの局発光を生成する局発光用光源を選択するように２×１光スイッチを切り換え、局発光の波長の切り換えを行う（Ｓ３４）。ステップＳ３４の処理では、例えば、図７の光源制御部８４又はノード制御部４０が、予備チャネルの波長λｋの局発光を生成する第２局発光用光源７５を選択するように２×１光スイッチ７７を切り換える。
【０１２５】
エラーが検出された場合に、光源制御部又はノード制御部は、２つの送信信号光源の内の予備チャネルの送信信号用の光信号を生成する送信信号光源を選択するように２×１光スイッチを切り換え、送信信号の波長の切り換えを行う（Ｓ３５）。このステップＳ３５の処理では、例えば、図７の光源制御部８４又はノード制御部４０が、予備チャネルの波長λｊの光信号を生成する第２送信信号光源８６を選択するように２×１光スイッチ８７を切り換える。
【０１２６】
次に、「Ｗａｉｔ＿１」の処理を実行し一定時間待つ（Ｓ３６）。その後、エラーが解除されたか否かを判別する（Ｓ３７）。エラーが解除されていない場合には（Ｓ３７、ＮＯ）、ステップＳ３８に進み、光信号が断の状態か否かを判別する。
【０１２７】
光信号が断の状態でなければ（Ｓ３８、ＮＯ）、ステップＳ３９に進み、Ｔ秒（一定時間）経過したか否かを判別する。Ｔ秒経過していないときには（Ｓ３９、ＮＯ）。ステップＳ３６以降の処理を繰り返す。他方、Ｔ秒以上経過したときには、ステップＳ４０に進み障害が発生したことを通知するためにアラームを設定する。
【０１２８】
ステップＳ３８において、光信号が断の状態と判定されたときには（Ｓ３８、ＹＥＳ）、ステップＳ４１に進み、Ｙ秒（一定時間）経過したか否かを判別する。Ｙ秒経過していなければ（Ｓ４１、ＮＯ）、ステップＳ３８の判別を繰り返す。他方、Ｙ秒経過したときには（Ｓ４１，ＹＥＳ）、ステップＳ４０に進み、障害が発生したことを通知するためにアラームを設定する。
【０１２９】
上述した処理により、受信信号のエラーを検出した場合に、受信側及び送信側のコヒーレント光送受信器が自立的に局発光の波長を予め定められている予備チャネルの波長に切り換えることができる。これにより、通信回線に障害が発生した場合でも、送信側と受信側との間の通信を短時間で再開することができる。
【０１３０】
図１７（Ａ）、（Ｂ）は、光源制御部に記憶されるパラメータデータの一例を示す図（２）である。図１７（Ａ）は、第１局発光用光源７４の波長を制御するためのパラメータデータを示している。図１７（Ｂ）は、第２局発光用光源７５の波長を制御するためのパラメータデータを示している。
【０１３１】
図１７（Ａ）、（Ｂ）のパラメータデータは、各チャネル（予備チャネルを含む）の波長と温度と電流値と出力値とを対応づけたデータである。図１７（Ａ）、（Ｂ）には、５６チャネル分のパラメータデータを示してある。これらのパラメータデータは、光源制御部７６（又はノード制御部４０）のメモリ等の記憶部に記憶される。
【０１３２】
なお、図１７（Ａ）と図１７（Ｂ）では、同じ波長でも温度、電流値、出力値が異なっているが、これは２つの局発光用光源の特性が異なっているためである。
光源制御部７６は、エラー情報を受信したときには、記憶部に記憶されている、予め決められている予備チャネルに対応する電流値（又は温度と電流値と出力値）を取得し、その電流を第１局発光用光源３４に供給する。これにより、局発光用光源３４からは予備チャネルの波長の局発光が出力される。
【０１３３】
なお、光源制御部７６の記憶部には、必ずしも全チャネルのパラメータデータを記憶する必要はない。光源制御部７６の制御対象チャネルが限定されている場合には、必要なチャネル数分のパラメータデータを記憶すれば良い。また、記憶部には、波長、温度、電流値、出力値の全てパラメータデータを記憶する必要はなく、それらのデータの内の必要なデータを記憶すれば良い。
【０１３４】
次に、図１８は、コヒーレント光送受信器が１つの局発光用光源と送信信号光源を有し、ノード制御部が局発光用光源と送信信号光源の波長の切り換えを行う場合のフローチャートである。以下の処理は、例えば、コヒーレント光送受信器のＣＰＵにより実行、又はハードウェアにより実現される。以下、図２のコヒーレント光送受信器３１−１とノード制御部４０を例にとり説明する。
【０１３５】
コヒーレント復調器３６は入力信号のエラーの検出を行う（Ｓ５１）。エラーを検出した場合には、ノード制御部４０に通知する（Ｓ５２）。
ノード制御部４０は、受信信号のエラーが検出されたときには、光Ａｄｄ／Ｄｒｏｐ部３９の光スイッチを予備チャネル側に切り換える（Ｓ５３）。
【０１３６】
ノード制御部４０は、受信信号のエラーが検出されたときには、局発光用光源３４へ予め決められた予備チャネルの波長等を指定する設定パラメータを設定し、局発光の波長の切り換えを行う（Ｓ５４）。
【０１３７】
ノード制御部４０は、受信信号のエラーが検出されたときには、送信信号光源へ予め決められた予備チャネルの波長等を示すパラメータを設定し、送信信号の波長を切り換える（Ｓ５５）。
【０１３８】
次に、「Ｗａｉｔ＿１」の処理を実行し一定時間待つ（Ｓ５６）。その後、エラーが解除されたか否かを判別する（Ｓ５７）。エラーが解除された場合には（Ｓ５７、ＹＥＳ）、つまり予備チャネルの波長に切り換えた結果、通信が可能となった場合には、処理を終了する。
【０１３９】
エラーが解除されなかった場合には（Ｓ５７、ＮＯ）、ステップＳ５８に進み、光信号が断の状態か否かを判別する。ステップＳ５８において、光信号が断の状態ではないと判定されたときには（Ｓ５８、ＮＯ）、ステップＳ５９に進み、一定時間Ｔ秒経過したか否かを判別する。Ｔ秒経過したときには（Ｓ５９、ＹＥＳ）、ステップＳ６０に進み、障害の発生を通知するためにアラームを設定する。
【０１４０】
ステップＳ５８において、光信号が断の状態と判定されたときには（Ｓ５８、ＹＥＳ）、ステップＳ６１に進み、一定時間Ｙ秒経過したか否かを判別する。
Ｙ秒経過していないときには（Ｓ６１、ＮＯ）、ステップＳ５８に戻り光信号の断か否かの判定を実行する。Ｙ秒以上経過しているときには（Ｓ６１、ＹＥＳ）、ステップＳ６０に進み、アラームを設定する。
【０１４１】
上述した処理により、受信信号のエラーを検出した場合に、受信側及び送信側のコヒーレント光送受信器が自立的に局発光の波長を予め定めらている予備チャネルの波長に切り換えることができる。これにより、通信回線に障害が発生した場合でも、送信側と受信側との間の通信を短時間で再開することができる。この場合、コヒーレント光送受信器には、１つの局発光用光源と１つの送信信号光源を設けただけであるので、コヒーレント光送受信器の回路の構成は簡素になる。
【０１４２】
次に、図１９は、コヒーレント光送受信器が２つの局発光用光源と２つの送信信号光源を有し、ノード制御部が、コヒーレント光送受信器の光スイッチを切り換えて局発光と送信信号の波長を切り換える場合のフローチャートである。以下の処理は、例えば、コヒーレント光送受信器のＣＰＵにより実行、又はハードウェアにより実現される。以下、図７のコヒーレント光送受信器８１−１とノード制御部４０を例にとり説明する。
【０１４３】
コヒーレント復調器３６は入力信号のエラーの検出を行う（Ｓ７１）。エラーを検出した場合には、ノード制御部４０に通知する（Ｓ７２）。
ノード制御部４０は、受信信号のエラーが通知されると、光Ａｄｄ／Ｄｒｏｐ部３９の光スイッチを予備チャネル側に切り換える（Ｓ７３）。
【０１４４】
ノード制御部４０は、第２局発光用光源７５と第２送信信号光源８６に予備チャネルのパラメータデータを設定する（又は予備チャネルのパラメータデータを予め設定しておく）。
【０１４５】
ノード制御部４０は、受信信号のエラーが通知されると、コヒーレント光受信器８２の２×１光スイッチ７７を予備チャネル側に切り換え、局発光の波長を予備チャネルの波長に切り換える（Ｓ７５）。
【０１４６】
ノード制御部４０は、受信信号のエラーが通知されると、コヒーレント光送信器８３の２×１光スイッチ８７を予備チャネル側に切り換え、送信信号を変調するための光信号の波長を予備チャネルの波長に切り換える（Ｓ７６）。
【０１４７】
次に、「Ｗａｉｔ＿１」の処理を実行し一定時間待つ（Ｓ７７）。その後、エラーが解除したか否かを判別する（Ｓ７８）。エラーが解除されているときには処理を終了する。
他方、エラーが解除されていないときには（Ｓ７８、ＹＥＳ）、ステップＳ７９に進み、光信号が断の状態か否かを判別す。
【０１４８】
光信号が断の状態ではないときには（Ｓ７９、ＮＯ）、ステップＳ８０に進み、一定時間Ｔ秒経過したか否かを判別する。Ｔ秒経過していないときには（Ｓ８０、ＮＯ）、ステップＳ７７以降の処理を繰り返す。他方、Ｔ秒以上経過したときには（Ｓ８０、ＹＥＳ）、ステップＳ８１に進み、障害の発生を通知するためにアラームを設定する。
【０１４９】
ステップＳ７９において、光信号が断の状態と判定されたときには（Ｓ７９、ＹＥＳ）、ステップＳ８２に進み、一定時間Ｙ秒以上経過したか否かを判別する。Ｙ秒未満のときには（Ｓ８２、ＮＯ）、ステップＳ７９に戻り、光信号が断の状態か否かを再度判定する。他方、光信号が断の状態で、かつＹ秒以上経過してもいるときには、ステップＳ８１に進み、障害の発生を通知するためにアラームを設定する。
【０１５０】
上述した処理により、受信信号のエラーが検出された場合に、受信側と送信側のコヒーレント光送受信器が、それぞれ自立的に局発光と送信信号の波長を予め定めらている予備チャネルの波長に切り換えることができる。これにより、通信回線に障害が発生した場合でも、送信側と受信側との間の通信を短時間で再開することができる。この場合、２つの局発光用光源を用い、それらの出力を光スイッチで切り換えるようにしたので、障害が発生した場合に、短時間で予備チャネルの波長に切り換えることができる。
【０１５１】
ここで、局発光用光源と共通光源の出力光を光スイッチにより切り換える場合の光信号のパワーの減衰について、図２０及び図２１を参照して説明する。
図２０は、局発光の伝搬経路を示す図であり、図２１は、図２０に示す光部品の損失と経路の合計損失を示す図である。
【０１５２】
図２０に示すコヒーレント光受信器１０２は、局発用光源３４と、局発光と送信信号の光源として用いられる共通光源１０４と、コヒーレント復調器３６と、２×１光スイッチ１０７と、２×１分岐器１０６を有する。
【０１５３】
局発光用光源３４の出力光は、コネクタ１３１を通り２×１光スイッチ１０７の一方の入力♯１に入力する。共通光源１０４の出力光は、コネクタ１３３を通り、２×１分岐器１０６で２分岐され、分岐の一方の出力光はコネクタ１３２を通り、２×１光スイッチ１０７の他方の入力♯２に入力する。２×１光スイッチ１０７の出力光はコヒーレント復調器３６の入力♯３に入力する。２×１分岐器１０６で分岐された光は、図示しない送信器側の２×１光スイッチに出力される。
【０１５４】
局発光が伝搬される経路の光信号の損失として以下の要素が考えられる。経路上にある部品の個数の差による損失の差、各光部品の特性のばらつきによる損失等である。光部品の特性のばらつきとしては、各光部品の個体差によるばらつき、光部品の波長依存損失のばらつき、光スイッチのポート損失のばらつきなどである。
【０１５５】
各光部品の損失、波長依存損失が、図２１に示すような値を有する場合に、局発光用光源３４からコヒーレント復調器３６の入力♯３に至るルート（これをルートＡと呼ぶ）の損失は、以下のように表せる。
【０１５６】
ルートＡ上には、コネクタ１３１と２×１光スイッチ１０７が存在する。図２１から、コネクタ１３１の損失は「０．４ｄＢ」、２×１光スイッチ１０７の損失は「２．８ｄＢ」、波長λ１の部品の波長依存損失は「０．４ｄＢ」である。よって、ルートＡの合計損失は「３．６ｄＢ」となる。従って、コヒーレント復調器３６の入力側の損失を０ｄＢにするためには、局発光用光源３４の出力を「＋３．６ｄＢ」に設定する必要がある。
【０１５７】
共通光源１０４からコヒーレント復調器３６の入力♯３に至るルート（これをルートＢと呼ぶ）の損失は以下のように表せる。
ルートＢ上には、コネクタ１３３と２×１分岐器１０６と、コネクタ１３２と、２×１光スイッチ１０７が存在する。図２１から、コネクタ１３３の損失は「０．５ｄＢ」、２×１分岐器１０６の損失は「４．３ｄＢ」、コネクタ１３２の損失は「０．３ｄＢ」である。また、２×１光スイッチ１０７の入力♯２とコヒーレン復調器３６の入力♯３との間の損失は「３．６ｄＢ」、波長λ５における光部品の波長依存損失は「０．２ｄＢ」である。よって、ルートＢの合計損失は「８．９ｄＢ」となる。従って、コヒーレント復調器３６の入力側の損失を０ｄＢにするためには、共通光源１０４の出力を「＋８．９ｄＢ」に設定する必要がある。
【０１５８】
ここで、図２２に示すＷＤＭネットワークを例にとり、障害発生時の波長の切り換え方法について説明する。
図２２に示すように５個の光ノードＮ１〜Ｎ５がＷＤＭ回線によりリング状に接続されている。ＷＤＭ信号が伝送される複数のチャネルの内、波長λ１〜λ４が現用系のチャネル、波長λ５が予備のチャネルである。ノードＮ１とノードＮ４との現用チャネルは、ノードＮ１を基点にして反時計回りの方向にパスが設定されている（図２２に実線で示す経路）。障害発生時に使用するパス（プロテクションパス）は、ノードＮ１を基点として時計回りの方向に設定されている（図２２に太い点線で示す経路）。なお、図２２は、運用チャネル数Ｎに対して１つのプロレテクションパスを設定する場合の例を示したが、プロテクション方式はこれに限定されない。運用チャネル数Ｎに対してｍ個のプロテクションパスを設けても良い、１対１のプロテクションパスを設けても良い。また、ネットワークはリングネットワークに限らず、メッシュ型等の他の形状のネットワークでも良い。
【０１５９】
図２３は、光ノードＮ１とＮ２との間の光ファイバーで障害が発生したときの状態を示している。光ノードＮ１とＮ２を結ぶ光ファイバーで障害が発生すると、現用チャネルの波長λ１の光信号が断となり、光ノードＮ４のコヒーレント光送受信器においてエラーが検出される。
【０１６０】
図２４は、エラーを検出した光ノードＮ４が、局発光と送信信号の波長を予備チャネルの波長λ５に切り換えたときの状態を示している。
光ノードＮ４のコヒーレント光送受信器は、受信信号のエラーを検出すると、自立的に局発光の波長を予め決められている予備チャネルの波長λ５に切り換える。同時に、送信信号の波長を予備チャネルの波長λ５に切り換える。このとき、光Ａｄｄ／Ｄｒｏｐ部３９も予備チャネルの波長λ５を選択するように光スイッチを切り換える。
【０１６１】
図２５は、光ノードＮ４が予備チャネルの波長を切り換えた後、光ノードＮ１が予備チャネルの波長に切り換えたときの状態を示している。
光ノードＮ４が送信信号の波長をλ５に切り換えたことにより、光ノードＮ１は光ノードＮ４からのコヒーレント変調信号を復調できなくなり、光ノードＮ１のコヒーレント光送受信器が受信信号のエラーを検出する。エラーを検出すると、光ノードＮ１のコヒーレント光送受信器は、自立的に局発光の波長を予備チャネルの波長λ５に切り換える。同時に、送信信号の波長を予備チャネルの波長λ５に切り換える。
【０１６２】
上記のように受信信号のエラーを検出したときに、送信側と受信側の光ノードが、他の通信装置から切り換え先の波長情報を受信することなく自立的に局発光と送信信号の波長を予め定められている波長に切り換えることができる。これにより、回線障害等が発生した場合でも、送信側と受信側との間で短時間で通信を再開することができる。
【０１６３】
上述した第１〜第８の実施の形態を含む実施の形態に対して、さらに以下の付記を開示する。
（付記１）
受信信号を復調するコヒーレント復調器と、
前記コヒーレント復調器において、受信信号を復調するための局発光を生成する局発光用光源と、
切り換え先チャネルの波長情報を記憶する記憶手段と、
受信信号のエラーが検出されたとき、前記局発光用光源で生成される局発光の波長を前記記憶手段に記憶されている前記波長情報で指定される波長に切り換える制御手段とを備える波長分割多重通信に用いられるコヒーレント光通信装置。
（付記２）
送信信号を変調するコヒーレント変調器と、
前記コヒーレント変調器において、送信信号を変調するための光信号を生成する送信信号光源を備え、
前記制御手段は、前記受信信号のエラーが検出されたとき、前記局発光用光源で生成する局発光の波長と前記送信信号光源で生成される光信号の波長を、前記記憶手段に記憶されている切り換え先チャネルの波長情報で指定される波長に切り換える付記１記載のコヒーレント光通信装置。
（付記３）
前記局発光用光源と前記記憶手段と前記制御手段は、複数のコヒーレント光送受信器に対して共通に設けられ、
前記制御手段は、前記複数のコヒーレント光送受信器の内の任意のコヒーレント光送受信器において受信信号のエラーが検出されたとき、エラーが検出されたコヒーレント光送受信器の切り換え先チャネルの波長情報を前記記憶手段から取得し、前記局発光用光源の出力光の波長を、取得した波長情報で指定される波長に切り換える付記１又は２記載のコヒーレント光通信装置。
（付記４）
受信信号を復調するコヒーレント復調器と、
前記コヒーレント復調器において、受信信号を復調するための局発光を生成する第1の局発光用光源と、
切り換え先チャネルの局発光を生成する第２の局発光用光源と、
前記第１の局発光用光源と前記第２の局発光用光源の出力の一方を選択して前記コヒーレント復調器に出力する光スイッチと、
受信信号のエラーが検出されないときには、前記光スイッチが前記第１の局発光用光源の出力を選択するように制御し、前記受信信号のエラーが検出されたときには、前記光スイッチが前記第２の局発光用光源の出力を選択するように制御する制御手段とを備える波長分割多重通信に用いられるコヒーレント光通信装置。
（付記５）
前記制御手段は、現用チャネルと切り換え先チャネルの波長情報を記憶する記憶手段を有し、前記制御手段は、前記第１の局発光用光源と前記第２の局発光用光源で生成する局発光の波長を前記記憶手段に記憶されている前記波長情報で指定される波長に設定する付記４記載のコヒーレント光通信装置。
（付記６）
送信信号を変調するコヒーレント変調器と、
前記コヒーレント変調器において、送信信号を変調するための光信号を生成する第１の送信信号光源と、
切り換え先チャネルの光信号を生成する第２の送信信号光源と、
前記第１の送信信号光源と前記第２の送信信号光源の出力の一方を選択して前記コヒーレント変調器に出力する第２の光スイッチとを備え、
前記制御手段は、前記受信信号のエラーが検出されたとき、前記光スイッチが前記第２の局発光用光源の出力を選択するよう制御すると共に、前記第２の光スイッチが前記第２の送信信号光源の出力を選択するよう制御する付記４又は５記載のコヒーレント光通信装置。
（付記７）
受信信号を復調するコヒーレント復調器と、
前記コヒーレント復調器において、受信信号を復調するための局発光を生成する局発光用光源と、
切り換え先チャネルの光信号を生成する共通光源と、
送信信号を変調するコヒーレント変調器と、
前記コヒーレント変調器において、送信信号を変調するための光信号を生成する送信信号光源と、
前記共通光源の出力光を２分岐する光分岐器と、
前記局発光用光源と前記光分岐器の第１の出力の一方を選択して前記コヒーレント復調器に出力する第１の光スイッチと、
前記送信信号光源と前記光分岐器の第２の出力の一方を選択して前記コヒーレント変調器に出力する第２の光スイッチと、
受信信号のエラーが検出されたときに、前記第１の光スイッチが前記共通光源の出力を選択するように制御すると共に、前記第２の光スイッチが前記共通光源の出力を選択するように制御する制御手段とを備える波長分割多重通信に用いられるコヒーレント光通信装置。
（付記８）
前記制御手段は、現用チャネルと切り換え先チャネルの波長情報を記憶する記憶手段を有し、前記制御手段は、前記第１の局発光用光源と前記第２の局発光用光源で生成する局発光の波長を、前記記憶手段に記憶されている前記波長情報で指定される波長に設定する付記７記載のコヒーレント光通信装置。
（付記９）
切り換え先チャネルの波長情報を記憶部に記憶し、
受信信号のエラーが検出されたとき、局発光用光源で生成する局発光の波長を前記記憶部に記憶されている前記波長情報で指定される波長に切り換えてコヒーレント復調器に出力する波長分割多重通信のコヒーレント光通信方法。
（付記１０）
前記受信信号のエラーが検出されたとき、前記局発光用光源の局発光の波長と、送信信号を変調するための光信号を生成する送信信号光源の光信号の波長を、前記記憶部に記憶されている切り換え先チャネルの前記波長情報で指定される波長に切り換える付記9記載のコヒーレント光通信方法。
（付記１１）
前記局発光用光源と前記記憶部を複数のコヒーレント光送受信器に対して共通に設け、
前記複数のコヒーレント光送受信器のそれぞれの切り換え先チャネルの波長情報を前記記憶部に記憶し、
前記複数のコヒーレント光送受信器の内の任意のコヒーレント光送受信器において受信信号のエラーが検出されたとき、エラーが検出されたコヒーレント光送受信器の切り換え先チャネルの波長情報を前記記憶部から取得し、前記局発光用光源の出力光の波長を、取得した波長情報で指定される波長に切り換える付記９又は１０記載のコヒーレント光通信方法。
（付記１２）
受信信号のエラーが検出されないときには、光スイッチにより受信信号を復調するための局発光を生成する第1の局発光用光源の出力を選択してコヒーレント復調器に出力し、
前記受信信号のエラーが検出されたときには、前記光スイッチにより第２の局発光用光源の出力を選択してコヒーレント復調器に出力する波長分割多重通信のコヒーレント光通信方法。
（付記１３）
現用チャネルと切り換え先チャネルの波長情報を記憶する記憶部を有し、前記第１の局発光用光源と前記第２の局発光用光源で生成する局発光の波長を前記記憶部に記憶されている前記波長情報で指定される波長に設定する付記１２記載のコヒーレント光通信方法。
（付記１４）
前記受信信号のエラーが検出されたとき、前記光スイッチにより前記第２の局発光用光源の出力を選択してコヒーレント復調器に出力すると共に、前記第２の光スイッチにより、送信信号を変調するための光信号を生成する第１の送信信号光源と送信信号の切り換え先チャネルの光信号を生成する第２の送信信号光源の出力の内、前記第２の送信信号光源の出力を選択してコヒーレント変調器に出力する付記１２又は１３記載のコヒーレント光通方法。
（付記１５）
受信信号のエラーが検出されないときには、第１の光スイッチにより受信信号を復調するための局発光を生成する局発光用光源の出力を選択してコヒーレント復調器に出力すると共に、第２の光スイッチにより送信信号を変調するための光信号を生成する送信信号光源の出力を選択してコヒーレント変調器に出力し、
前記受信信号のエラーが検出されたときには、前記第１の光スイッチにより切り換え先チャネルの光信号を生成する共通光源の出力光を選択して前記コヒーレント復調器に出力すると共に、前記第２の光スイッチにより前記共通光源の出力光を選択して前記コヒーレント変調器に出力する波長分割多重通信のコヒーレント光通信方法。
（付記１６）
現用チャネルと切り換え先チャネルの波長情報を記憶部に記憶し、前記第１の局発光用光源と前記第２の局発光用光源で生成する局発光の波長を、前記記憶部に記憶されている前記波長情報で指定される波長に設定する付記１５記載のコヒーレント光通信方法。
【符号の説明】
【０１６４】
３１      コヒーレント光通信装置
３１−１      コヒーレント光送受信器
３２      コヒーレント光受信器
３３      コヒーレント光送信器
３４      局発光用光源
３５      光源制御部
３６      コヒーレント復調器
３７      コヒーレント変調器
３８      送信信号光源
３９      光Ａｄｄ／Ｄｒｏｐ部
４０      ノード制御部
【図１】
0005636684.tif 000002
【図２】
0005636684.tif 000003
【図３】
0005636684.tif 000004
【図４】
0005636684.tif 000005
【図５】
0005636684.tif 000006
【図６】
0005636684.tif 000007
【図７】
0005636684.tif 000008
【図８】
0005636684.tif 000009
【図９】
0005636684.tif 000010
【図１０】
0005636684.tif 000011
【図１１】
0005636684.tif 000012
【図１２】
0005636684.tif 000013
【図１３】
0005636684.tif 000014
【図１４】
0005636684.tif 000015
【図１５】
0005636684.tif 000016
【図１６】
0005636684.tif 000017
【図１７】
0005636684.tif 000018
【図１８】
0005636684.tif 000019
【図１９】
0005636684.tif 000020
【図２０】
0005636684.tif 000021
【図２１】
0005636684.tif 000022
【図２２】
0005636684.tif 000023
【図２３】
0005636684.tif 000024
【図２４】
0005636684.tif 000025
【図２５】
0005636684.tif 000026